(57)【要約】  本発明は、セキュリティ文書（１００）をセキュアにするための方法であって、セキュリティ文書（１００）は：−  一緒に綴じられた、少なくとも１つのバイオデータページ（１２２）および紙データページ（１２１）と、−  バイオデータページおよび紙データページの外側に配置される、少なくとも１つの表紙（１１０）であって、綴じられたページ（１２１、１２２）とともに綴じられた少なくとも１つの見返しシート（１１２）と、見返しシートに付着された１つのカバー材料シート（１１１）とを備える、少なくとも１つの表紙（１１０）とを備え、セキュリティ文書製造の間に、表紙のいかなる開裂も防止するために、表紙（１１０）の内側をキスカッティングするステップを含む、方法に関わる。本発明は、この方法によって得られるセキュリティ文書（１００）にも関わる。
2021516177.tif 000002
【特許請求の範囲】
【請求項１】
セキュリティ文書のページを保護するための表紙（１１０）であって、見返しシート（１１２）に付着されたカバー材料シート（１１１）を備え、少なくとも１つのキスカッティングを表紙の深さの内側に備え、少なくとも１つのキスカッティング（２００）が、カバー材料シートを見返しシートから剥離させることによる、前記表紙の内側の開裂を防止するために、表紙の外部表面上に、可視の跡を生じさせることなく、表紙の平面内に広げられる、表紙。
【請求項２】
表紙が、前記表紙の内側で、可変の深さを伴って広がっている、請求項１に記載の表紙。
【請求項３】
表紙が、様々な深さレベルを伴ういくつかのキスカッティングを備える、請求項１に記載の表紙。
【請求項４】
表紙（１１０）が、いくつかの一様でないキスカッティング（２００）を備え、各々のキスカッティングが、周囲のキスカッティングとは異なる深さで広がる、請求項１に記載の表紙。
【請求項５】
キスカッティング（２００）の深さが、バイアスプロファイルを有する、請求項１から４のいずれか一項に記載の表紙。
【請求項６】
バイアスプロファイルが、表紙の内側表面から、カバー材料厚さの最高で８５％の深さに広がる、請求項５に記載の表紙。
【請求項７】
バイアスプロファイルが、表紙の内側表面から、２５％と７５％の間に広がる、請求項５に記載の表紙。
【請求項８】
キスカッティング（２００）が、曲線または幾何学的形状を有する、請求項１から７のいずれか一項に記載の表紙。
【請求項９】
キスカッティング（２００）が、英数字文字形状を有する、請求項１から８のいずれか一項に記載の表紙。
【請求項１０】
キスカッティング（２００）が、前記キスカッティングの深さによって規定される幅を有する、請求項１から９のいずれか一項に記載の表紙。
【請求項１１】
キスカッティングが、見返しシートの裏側において、または、カバー材料シートの内側の側においてのいずれかで為される、請求項１から１０のいずれか一項に記載の表紙。
【請求項１２】
カバー材料シート（１１１）が、コーティング層（１１１ａ）とともに集合させられたいくつかの材料層（１１１ｂ）から構成されて、各々のキスカッティングが、前記材料層の内側で広がる、請求項１から１１のいずれか一項に記載の表紙。
【請求項１３】
セキュリティ文書（１００）であって、少なくとも、
一緒に綴じられた、１つのバイオデータページ（１２２）および紙データページ（１２１）と、
バイオデータページおよび紙データページの外側に配置される、１つの表紙（１１０）と
を備え、
前記表紙（１１０）が、綴じられたページ（１２１、１２２）とともに綴じられた少なくとも１つの見返しシート（１１２）と、見返しシートに付着された１つのカバー材料シート（１１１）とを備え、請求項１から１２のいずれか一項に記載の、カバー材料シートを見返しシートから剥離させることによる、前記表紙の内側の開裂を防止するために、表紙の外部表面上に、可視の跡を生じさせることなく、表紙の平面内に広げられる、少なくとも１つのキスカッティングを備える、セキュリティ文書（１００）。
【請求項１４】
セキュリティ文書が旅券である、請求項１３に記載のセキュリティ文書（１００）。
【請求項１５】
セキュリティ文書（１００）を製造するための方法であって、セキュリティ文書（１００）は、
一緒に綴じられた、少なくとも１つのデータページ（１２２）およびデータページ（１２１）と、
バイオデータページおよびデータページの外側に配置される、少なくとも１つの表紙（１１０）であって、綴じられたページ（１２１、１２２）とともに綴じられた少なくとも１つの見返しシート（１１２）と、見返しシートに付着された１つのカバー材料シート（１１１）とを備える、少なくとも１つの表紙（１１０）と
を備え、
方法は、セキュリティ文書製造の間に、請求項１から１４のいずれか一項に記載の、カバー材料シートを見返しシートから剥離させることによる、前記表紙の内側の開裂を防止するために、表紙の外部表面上に、可視の跡を生じさせることなく、表紙の平面内に広げられる、キスカッティングのステップを含むことを特徴とする、方法。
【請求項１６】
各々のキスカッティングが、レーザツールによるレーザカットにより、鋭利なツールによるブレードカットにより、凸型表面起伏パターンを有するツールによるエンボス加工もしくは印刷により、または、マイクロツールによる機械的ミーリングにより為される、請求項１５に記載の方法。
【発明の詳細な説明】
【技術分野】
【０００１】
本発明は、セキュリティ文書の表紙を、表紙のいかなる開裂も防止するために、セキュアにするための方法に関する。本発明は、この方法によって得られる、旅券などのセキュリティ文書にも関する。
【０００２】
本発明は、セキュリティ分野において、特に、旅券に類する、各々のものがいくつかのページを内包する冊子体の形式を有するセキュリティ文書の分野において用途を見出だすものである。
【背景技術】
【０００３】
旅券などのセキュリティ文書は、国により、その国民が国外を旅行することを可能とするために発行される文書である。これらのセキュリティ文書、特に旅券は、一般的には、その文書の所持者が国の間を自由に旅行することを可能とするために、可能な限りセキュアに、一緒に製本される様々な要素から構成される。それらのセキュリティ文書は、身元が実在し、文書を所持する人物が、旅行または入国する権利を正しく与えられているという、積極的保証を提供する。文書の劣った品質に基づく保証の不足は、旅行者に不便を生じさせるものであり、何故なら、受け入れ国は、文書を信用せず、より多くの調べを行う、または、査証規制を所持者に課すことがあるからである。
【０００４】
旅券は、一般的には、旅券所持者の認証を可能とする、−  ギロシェ、ホログラム、パーソナライズされたマーキング、ＲＦＩＤチップ、その他などの  −  多数のセキュリティ要素を含む。すべてのセキュリティ要素は、旅券の、１つまたはいくつかのページ内に分散させられる。しかしながら、旅券は、とりわけ、ページ内に内包されるデータの操作による、数多くの偽造および模造の対象である。データページへのアクセスの大部分は、主としてヒンジ技術と関連付けられる、このことが起こることを防止するためにそれらのページを取り囲むセキュリティを有する。実際、偽造者は、しばしば、模造ページを挿入するためにデータページを冊子体の残り部分から取り外すこと、または、情報の重ね刷り（ｏｖｅｒｐｒｉｎｔｉｎｇ）もしくは重ねレーザ加工（ｏｖｅｒ  ｌａｓｅｒｉｎｇ）によりデータを操作することを試みる。
【０００５】
これらの模造および偽造活動を防止するため、冊子体においての完全性が、たいていは国による要件である。完全性維持は、例えば、ヒンジへの、特に、冊子体が綴じられているときの綴じ糸（ｓｔｉｔｃｈｉｎｇ  ｔｈｒｅａｄ）へのアクセスを防止することからなる。実際には、図１上で示されるように、旅券１００は、一般的には、表紙１１０と、一緒に綴じられたページ１２０とを備え、表紙は、ページ１２０の外側に付着される。ページ１２０は、いくつかの紙データページ１２１と、例えば、ポリカーボネート（ＰＣ）データページ内に挿入されるパーソナライズされたデータの形式での、１つのバイオデータページ１２２とを備える。表紙１１０は、一般的には、旅券の綴じ、および、ゆえに、バイオデータページへのアクセスを保護するために、一緒に付着された、例えば接着された、１つまたはいくつかの見返しシート１１２と、１つのカバー材料シート（ｃｏｖｅｒ  ｍａｔｅｒｉａｌ  ｓｈｅｅｔ）１１１とを備える。
【発明の概要】
【発明が解決しようとする課題】
【０００６】
しかしながら、この綴じ保護は、冊子体完全性を保護するためには十分でない。実際には、綴じが保護される場合でも、偽造者は、表紙を開裂し、ゆえに前記綴じへのアクセスを得ることにより、表紙から綴じにアクセスし得る。
【課題を解決するための手段】
【０００７】
表紙からの偽造および模造リスクの、上記の明確化された問題に応じて、本出願人は、旅券または他のセキュリティ文書の表紙を、前記表紙の内側をキスカッティングすることによりセキュアにするための方法を提案する。
【０００８】
第１の態様によれば、本発明は、セキュリティ文書のページを保護するための表紙であって、見返しシートに付着されたカバー材料シートを備え、カバー材料シートを見返しシートから剥離させることによる、前記表紙の内側のいかなる開裂も防止するために、少なくとも１つのキスカッティングを表紙の内側に備える、表紙に関わる。
【０００９】
そのような表紙は、数ある利点の中でも、いかなる偽造者による、表紙のいかなる開裂も防止することを可能とする。かくして、表紙を開裂することを欲する偽造者は、カットに遭遇することになり、そのことによって、表紙は断片化することになり、いかなる再組み立て試行も、肉眼で可視になる。
【００１０】
後に続く説明において、表現「旅券」または「セキュリティ文書」は、任意の文書であって、冊子体の形式を有し、その文書の所持者に固有のセキュリティデータを内包する、任意の文書を、同じように指定することになる。
【００１１】
有利には、キスカッティングは、前記表紙の内側で、可変の深さを伴って広がっている。
【００１２】
いくつかの実施形態によれば、表紙は、様々な深さレベルを伴ういくつかのキスカッティングを備える。
【００１３】
いくつかの実施形態によれば、表紙は、いくつかの一様でないキスカッティングを備え、各々のキスカッティングは、周囲のキスカッティングとは異なる深さで広がる。
【００１４】
いくつかの実施形態によれば、キスカッティングの深さは、バイアスプロファイル（ｂｉａｓ  ｐｒｏｆｉｌｅ）を有する。
【００１５】
いくつかの実施形態によれば、バイアスプロファイルは、表紙の内側表面から、カバー材料厚さの最高で８５％の深さに広がる。
【００１６】
いくつかの実施形態によれば、バイアスプロファイルは、表紙の内側表面から、２５％と７５％の間に広がる。
【００１７】
いくつかの実施形態によれば、キスカッティングは、曲線または幾何学的形状を有する。
【００１８】
いくつかの実施形態によれば、キスカッティングは、英数字文字形状を有する。
【００１９】
いくつかの実施形態によれば、キスカッティングは、前記キスカッティングの深さによって規定される幅を有する。
【００２０】
いくつかの実施形態によれば、キスカッティングは、見返しシートの裏側において、または、カバー材料シートの内側の側においてのいずれかで為される。
【００２１】
いくつかの実施形態によれば、カバー材料シートが、コーティング層とともに集合させられたいくつかの材料層から構成されて、各々のキスカッティングが、前記材料層の内側で広がる。
【００２２】
いくつかの実施形態によれば、各々のキスカッティングは、レーザツールによるレーザカットにより、鋭利なツールによるブレードカットにより、凸型表面起伏（ｐｏｓｉｔｉｖｅ  ｓｕｒｆａｃｅ  ｒｅｌｉｅｆ）パターンを有するツールによるエンボス加工もしくは印刷により、または、マイクロツールによる機械的ミーリングにより為される。
【００２３】
第２の第１の態様によれば、本発明は、セキュリティ文書表紙をセキュアにするための方法であって、セキュリティ文書表紙は、
−  一緒に綴じられた、少なくとも１つのバイオデータページおよび紙データページと、
−  バイオデータページおよび紙データページの外側に配置される、少なくとも１つの表紙であって、他のページとともに綴じられた少なくとも１つの見返しシートと、見返しシートに付着された１つのカバー材料シートとを備える、少なくとも１つの表紙と
を備え、
方法は、セキュリティ文書製造の間に、表紙のいかなる開裂も防止するために、表紙の内側をキスカッティングするステップを含むことを特徴とする、方法に関わる。
【００２４】
そのような方法は、数ある利点の中でも、いかなる偽造者による、表紙のいかなる開裂も防止することを可能とする。かくして、表紙を開裂することを欲する偽造者は、カットに遭遇することになり、そのことによって、表紙は断片化することになり、いかなる再組み立て試行も、肉眼で可視になる。
【００２５】
有利には、キスカッティングするステップは、表紙内のいくつかの一様でないカットを備える。そのような構成は、特に、表紙を開裂することを一層困難にすることを可能とする。
【００２６】
いくつかの実施形態によれば、キスカッティングするステップは、見返しシートの裏側において為される。
【００２７】
他の実施形態によれば、キスカッティングするステップは、カバー材料シートの内側の側において為される。
【００２８】
１つ以上の実施形態によれば、表紙は、様々な深さレベルを伴ういくつかのキスカッティングを備える。
【００２９】
１つ以上の実施形態によれば、各々のキスカッティングは、レーザツールによるレーザカットにより、または、鋭利なツールによるブレードカットにより為される。他の実施形態によれば、各々のキスカッティングは、凸型表面起伏パターンを有するツールによるエンボス加工もしくは印刷により、または、マイクロツールによる機械的ミーリングにより為される。
【００３０】
第２の態様によれば、本発明は、セキュリティ文書であって、少なくとも、
−  一緒に綴じられた、１つのバイオデータページおよび紙データページと、
−  バイオデータページおよび紙データページの外側に配置される、１つの表紙であって、他のページとともに綴じられた少なくとも１つの見返しシートと、見返しシートに付着された１つのカバー材料シートとを備える、１つの表紙と
を備え、
上記で定義された方法によって得られることを特徴とする、セキュリティ文書に関わる。
【００３１】
１つ以上の実施形態によれば、表紙は、前記表紙の内側で広がる、少なくとも１つのキスカッティングを備える。
【００３２】
１つ以上の実施形態によれば、表紙は、前記表紙の内側で、可変の深さを伴って広がる、少なくとも１つのキスカッティングを備える。
【００３３】
１つ以上の実施形態によれば、表紙は、いくつかの一様でないキスカッティングを備え、各々のキスカッティングは、周囲のキスカッティングとは異なる深さで広がる。
【００３４】
そのような実施形態は、特に、表紙を開裂することを一層困難にすることを可能とする。
【００３５】
有利には、キスカッティングの深さは、バイアスプロファイルを有する。このバイアスプロファイルは、表紙の内側表面から、最高で８５％に広がり得る。
【００３６】
有利には、キスカッティングは、曲線、または幾何学的形状を、または英数字文字形状さえも有する。
【００３７】
有利には、キスカッティングは、前記キスカッティングの深さによって規定される幅を有する。
【００３８】
１つ以上の実施形態によれば、カバー材料シートが、コーティング層とともに集合させられたいくつかの材料層から構成されて、各々のキスカッティングが、前記材料層の内側で広がる。
【００３９】
いくつかの好ましい実施形態の詳細な説明が、後に続く図面を参照して、本明細書において下記で論述される。
【図面の簡単な説明】
【００４０】
【図１】すでに開示されているが、従来技術による旅券の全体的な図である。
【図２】旅券が２つのバイオデータページを備える、本発明の一実施形態による旅券の断面図である。
【図３】本発明による表紙の内側のキスカッティングの概略断面図である。
【図４】本発明による表紙の内側のキスカッティングの上面図の一例の図である。
【図５】旅券が１つのプラスチックバイオデータページを備える、本発明の一実施形態による旅券の断面図の一例の図である。
【図６】旅券が１つの紙バイオデータページを備える、本発明の一実施形態による旅券の断面図の一例の図である。
【発明を実施するための形態】
【００４１】
本説明は、添付される特許請求の範囲の範囲を制限することを意図されない例を提供する。図は、全体的には、例の特徴を指示し、その場合、類する参照番号が、類する要素を参照するために使用されるということが、理解および認識される。本明細書においての「１つの実施形態」または「一実施形態」または「一例」に対する言及は、説明される特定の特徴、構造、または特性が、本明細書において説明される少なくとも１つの実施形態に含まれるということを意味し、特徴、構造、または特性が、本明細書において説明されるすべての実施形態において存在するということは暗示しない。
【００４２】
本発明は、旅券の表紙のいかなる開裂も防止するための方法を提案している。この方法は、図１において示されるタイプの任意の旅券において、その旅券の表紙が何であれ実装され得る。実際には、旅券の表紙１１０は、一般的には、１つのカバー材料シート１１１に付着された、一般的には接着された、少なくとも１つの見返しシート１１２を備える。変形によれば、カバー材料シートはラテックスに浸された紙を備える。別の変形によれば、カバー材料シートは織物を備える。変形が何であれ、表紙は繊維質であり、カッティングツールが、表紙の内側に滑り込み、１つの層を剥離させることができる。
【００４３】
本発明による方法は、表紙の内側を、前記表紙の内側のいかなる開裂も防止するために、キスカッティングすることを提案する。キスカッティングは、箔または紙は断ち切られるが、ラミネートされた裏紙はそうでない、ダイカッティングプロセスである。本発明において、表紙をキスカッティングすることは、前記表紙の表面（内側および外側表面）をカッティングすることなく、表紙の深さにおいてカットを為すことを可能とする。後程説明されるように、キスカッティングは、見返しシート１１２の裏側において、または、カバー材料シート１１１の内側の側においてのいずれかで為される。
【００４４】
本発明による旅券１００の一例の断面図が、図２上で表される。この図は、いくつかの縫い合わされたページ１２０、および、前記ページを保護する表紙１１０を示す。図２は、ページおよび表紙を一緒に結び付ける縫い糸１３０も示す。本発明によれば、旅券１００は、いくつかのページ１２０を備える。ページ１２０は、査証ページに類するいくつかの紙データページ１２１と、所持者に関してのパーソナライズされたデータ、および、ＯＶＩパッチ、ホログラム、ゴーストフォト（ｇｈｏｓｔ  ｐｈｏｔｏ）、ギロシェ、その他などのセキュリティ要素を組み込む、１つ以上のデータページとを備える。
【００４５】
以下の説明において、パーソナライズされたデータを組み込むデータページは、バイオデータページと名付けられる。
【００４６】
いくつかの実施形態において、図５上で表されるもののように、旅券１００は、ヒンジ１２５を通して紙ページに縫い合わされたプラスチックページである、１つのバイオデータページ１２２を備える。いくつかの他の実施形態において、図６上で表されるもののように、旅券１００は、紙ページ、例えば第１の査証ページである、１つのバイオデータページ１２３を備える。いくつかの他の実施形態において、図２のもののように、ページ１２０は、２つのバイオデータページ１２２、１２３を備える。特に、図２において、ページ１２０は：
−  査証ページに類するいくつかの紙データページ１２１と；
−  所持者に関しての固有のデータ、および／またはセキュリティ要素が組み込まれる、ＰＣ（ポリカーボネート）データページの形式での１つの第１のバイオデータページ１２２と；
−  所持者に関しての固有のデータ、および／またはセキュリティ要素    −バイオデータページ１２２のものと同様の、あるいは異なる  −  が組み込まれる、紙データページの形式での１つの第２のバイオデータページ１２３と
を備える。
【００４７】
図２、５、および６において示されるように、表紙１１０は、カバー材料シート１１１と、見返しシート１１２とを備える。背テープ（ｓｐｉｎｅ  ｔａｐｅ）１４０が、カバー材料シートと見返しシートとの間に組み込まれ得る。カバー材料シート１１１、および、もっと強い理由から表紙１１０は、それに剛性、重量を与えるために、および、箔ブロッキング（ｆｏｉｌ  ｂｌｏｃｋｉｎｇ）を保持することができるために、多くの層から構成される繊維質材料である。
【００４８】
図２、５、および６の例に関して、２つのキスカッティング２００も、表紙１１０の内側に表される。各々のキスカッティングは、偽造者が表紙を開裂することを試みる場合に開裂においての分裂を構成するために、表紙の深さにおいて配置される。表紙の外部表面上に、いかなる可視の跡も生じさせることなく、可能な限り深いカットを為すことにより、表紙を局所的に弱くすることは、いかなる偽造者による、いかなる開裂も防止する。表紙を開裂することを試みることになる偽造者は、いくつかの点においてカットに遭遇することになり、カバーは、断片化し、攻撃を妨害して、文書を再組み立てすることを困難にすることになる。
【００４９】
図２の実施形態において、各々のキスカッティング２００は、カバー材料シート１１１に面する見返しシート１１２の側である、見返しシート１１２の裏側１１２ｄで為される。その事例において、見返しシート１１１に接着されたカバー材料シート１１１は、キスカッティング２００を覆い、それらのキスカッティングは、いかなるユーザに対しても不可視である。
【００５０】
図５および６の実施形態において、各々のキスカッティング２００は、見返しシート１１２に面するカバー材料シートの側である、カバー材料シート１１１の内側の側１１１ｄにおいて為される。その事例において、カバー材料シート１１１に接着された見返しシート１１１は、キスカッティング２００を覆い、それらのキスカッティングは、いかなるユーザに対しても不可視である。
【００５１】
好ましい実施形態において、表紙のキスカッティング２００は、異なる深さレベルを伴って、表紙深さにおいて互いとは異なって提供される。いくつかの実施形態において、各々のキスカッティングは、図５および６上で示されるように、他のものとは異なる深さレベルで配置され得る。換言すれば、キスカッティングは、他のものとは異なるものである深さレベルで、表紙の平面内に広がる。いくつかのキスカッティング（例えば、２１０と参照されるもの）は、見返しシート１１２の裏側、または、カバー材料シート１１１の内側の側に近い深さで広がり得るものであり、他のキスカッティング（例えば、２２０と参照されるもの）は、見返しシートの表側１１２ｄ、または、カバー材料シートの外側の側１１１ｃに決して達することなく、見返しシート深さまたはカバー材料シート深さにおいて、より深く広がり得る。各々のキスカッティングは、周囲のキスカッティングのものとは異なる深さレベルで広がり得る。旅券表紙は最高で４００μｍの厚さを有するので、キスカッティング深さは、特に、キスカッティングがカバー材料シートの内側であるとき、総合的なカバー材料厚さの最高で約８５％の深さであり得る。キスカッティングが見返しシートの内側であるとき、それらのキスカッティングの深さは、見返しシート厚さによって決まる深さの最高で８５％であり得る。
【００５２】
先の実施形態と組み合わせ可能な、他の実施形態において、キスカッティングは、表紙内に、可変の深さレベルを伴って広がる。可変の深さレベルキスカッティングの一例が、図３において表される。この例において、キスカッティング２００は、カバー材料シート１１１の内側の側１１１ｄに近い深さから、外側の側１１１ｃに近い深さまで広がるバイアスプロファイルを有する。図３の例において、カバー材料シート１１１は、コーティング層１１１ａとともに集合させられた１つまたはいくつかの材料層１１１ｂ（紙層または織物層）から構成され、キスカッティングは、材料層内に提供される。
【００５３】
いくつかの実施形態において、方法は、１つの端部において低いレベルで開始し、次いで最大限の深さに移る、細いカットによって、表紙の内側の、例えば２５％から、例えば７５％の間でキスカッティングすることを提案する。換言すれば、キスカッティングは、例えば、内側表面から約２５％深さで開始し、前記内側表面から約７５％深さで停止するバイアスセクションを伴って広がり得る。
【００５４】
本発明によれば、キスカッティングは、最高で２００μｍの、好ましくは１００μｍより下の、程度の差はあれ細い幅を有し得る。１００μｍより下の細い幅は、表紙の内側の開裂を中断させるために十分である。しかしながら、カット幅は、より大きくあり得るものであり、そのカット幅は、例えば、キスカッティングの深さによって規定され得る。代替的には、カットプロファイルは、可変の幅、例えば、カバー材料シートの表面上でより広く、カットの底部において狭い、Ｖ形状を有し得る。
【００５５】
本発明によれば、キスカッティングは、直線、内側に角度を伴う幾何学的形状、曲線状の形状、または、例えば英数字文字形状などの任意の他の形状であり得る。図４の例において、表されるキスカッティング２００は、様々な曲線および長さを伴う、ならびに、表紙の内側で一様でなく延び広げられる、曲線状のカットである。
【００５６】
いくつかの実施形態によれば、キスカッティングは、表紙を完全に断ち切るようにではなく、表紙１１０の内側表面と外側表面との間の深さにおいてカッティングする、鋭利なツールによってなど、様々な技術によって為され得る。いくつかの印刷技術も、キスカッティングを表紙１１０の内側に、凸型表面起伏浮き出しを有する印刷版によって押すために使用され得る。さらに、いくつかのエンボス加工プロセスが、凸型表面起伏パターンを有するツールによって使用され得る。
【００５７】
レーザツールによるレーザカッティング、または、ホットエンボス加工板によるエンボス加工、または、マイクロツールによる機械的ミーリングに類する他の実施形態も、キスカッティングに対して使用され得る。
【００５８】
いくつかの選択された実施形態のみが、本発明を例示するために選定されたが、様々な変更および修正が、本明細書において、添付される特許請求の範囲において定義されるような本発明の範囲から逸脱することなく為され得るということが、本開示から当業者には明白であろう。１つの実施形態の構造および機能は、別の実施形態において採用され得る。さらに、すべての利点が、同時に特定の実施形態において存在することは必要でない。
【図１】
2021516177.tif 000003
【図２】
2021516177.tif 000004
【図３】
2021516177.tif 000005
【図４】
2021516177.tif 000006
【図５】
2021516177.tif 000007
【図６】
2021516177.tif 000008
【国際調査報告】
2021516177.tif 000009
2021516177.tif 000010
2021516177.tif 000011
2021516177.tif 000012